(57)【要約】      （修正有）【課題】目盛を読み取りやすいだけでなく、現在の水位がどの警戒レベルにあるのかを視覚により直感的に認識することのできる量水標を提供する。【解決手段】量水標を、固定面に対して上下方向に並べた状態で固定される複数枚の目盛板１０で構成し、それぞれの目盛板１０を、固定面に対して固定される左右一対の側縁部Ｓ２と、固定面から手前側に離れた位置で前記固定面に対して平行に支持される中央部Ｓ１と、中央部Ｓ１と左右一対の側縁部Ｓ２のそれぞれとを接続する左右一対の傾斜壁部Ｓ３とで構成した。それぞれの目盛板１０における側縁部Ｓ２に対する傾斜壁部Ｓ３の角度θは１２０°〜１５０°とすると好ましい。【選択図】図６
0003165949.tif 000002
【実用新案登録請求の範囲】
【請求項１】
固定面に対して上下方向に並べた状態で固定される複数枚の目盛板で構成され、該目盛板のオモテ面に記された目盛を読み取ることで水位を測定できるようにした量水標であって、
それぞれの目盛板が、
前記固定面に対して固定される左右一対の側縁部と、
前記固定面から手前側に離れた位置で前記固定面に対して平行に支持される中央部と、
該中央部と前記左右一対の側縁部のそれぞれとを接続する左右一対の傾斜壁部と
で構成されたことを特徴とする量水標。
【請求項２】
それぞれの目盛板における前記側縁部に対する前記傾斜壁部の角度θが１２０〜１５０°とされた請求項１記載の量水標。
【請求項３】
それぞれの目盛板が、
前記目盛がオモテ面に記された目盛表示シートと、
目盛表示シートのオモテ面を覆って目盛表示シートを保護する保護フィルムと、
そのオモテ面に目盛表示シートのウラ面が貼り付けられた基板と、
基板のウラ面に貼り付けられたゴム材と
で構成された請求項１又は２記載の量水標。
【請求項４】
さらに、前記固定面における目盛板の側方に固定するためのものであって目盛板と同一の層構成を有するメッセージ板を備え、
メッセージ板のオモテ面に記されたメッセージを読み取ることでメッセージ板が固定された高さの危険レベルを認識できるようにした請求項３記載の量水標。
【考案の詳細な説明】
【技術分野】
【０００１】
本考案は、水位を測定するための量水標に関する。
【背景技術】
【０００２】
河川に架けられた橋の橋脚などには、河川の水位を目視により測るための量水標が設けられている。近年の量水標には、水位を測定する以上の機能が求められるようになってきている。例えば、目盛を読み取りやすく、夜間でも目盛を読み取ることができる、目盛が色落ちしにくく長期間に亘って使用することができるなどの特徴を有する量水標がこれまでに提案されている（例えば、特許文献１〜５）。ところが、目盛の読み取りやすさを犠牲にすることなく、現在の水位がどの警戒レベルにあるのかを視覚により直感的に認識できるようにすることについては、改善の余地もあった。
【先行技術文献】
【特許文献】
【０００３】
【特許文献１】実開昭４９−１３３６５１号公報
【特許文献２】実開昭５７−０７５５２３号公報
【特許文献３】実開平０４−１０４５３２号公報
【特許文献４】実開平０７−０３２５１２号公報
【特許文献５】特開２００６−０４７１６７号公報
【考案の概要】
【考案が解決しようとする課題】
【０００４】
本考案は、上記課題を解決するためになされたものであり、目盛を読み取りやすいだけでなく、現在の水位がどの警戒レベルにあるのかを視覚により直感的に認識することのできる量水標を提供するものである。また、平坦面だけでなく曲面に対しても取り付けることができるなど、様々な形態の対象物に容易に密着固定することができ、さらに、目盛などの色落ちがしにくいだけでなく、流木などが衝突しにくく破損しにくいなど、耐久性に優れた量水標を提供することも本考案の目的である。
【課題を解決するための手段】
【０００５】
上記課題は、固定面に対して上下方向に並べた状態で固定される複数枚の目盛板で構成され、該目盛板のオモテ面に記された目盛を読み取ることで水位を測定できるようにした量水標であって、それぞれの目盛板が、前記固定面に対して固定される左右一対の側縁部と、前記固定面から手前側に離れた位置で前記固定面に対して平行に支持される中央部と、該中央部と前記左右一対の側縁部のそれぞれとを接続する左右一対の傾斜壁部とで構成されたことを特徴とする量水標を提供することによって解決される。これに加えて、前記複数枚の目盛板を、下側に配される下側目盛板と、上側に配される上側目盛板と、下側目盛板と上側目盛板との間に配される中間目盛板とで構成し、下側目盛板におけるオモテ面の背景色を白系色とし、中間目盛板におけるオモテ面の背景色を黄系色とし、上側目盛板におけるオモテ面の背景色を赤系色とすると好ましい。
【０００６】
このように、それぞれの目盛板の水平断面（左右幅方向の断面）形状をハット型とすることにより、量水標の視認性を高めるだけでなく、量水標の施工性を高めることも可能になる。また、増水時に流木などが前記傾斜壁部に引っ掛からないようにすることも可能になる。さらに、上記のように、それぞれの目盛板の背景色を変えることにより、量水標を一目見ただけで、現在の水位がどの程度の警戒レベルにあるのかを容易かつ直感的に判断することが可能となる。それぞれの目盛板における目盛の色は、その背景色と異なるのであれば特に限定されない。例えば、それぞれの目盛板における目盛の色を青系色で統一すると、全ての目盛板において目盛を読み取りやすくするとともに、目盛板の見た目に統一感を持たせることもできる。
【０００７】
ここで、「青系色」とは、国際照明委員会（ＣＩＥ）が定めるｘｙ色度図におけるｘ座標が０．２５以下（好ましくは０．２以下）で、かつｙ座標が０．２５以下（好ましくは０．２以下）の範囲に属する色のことをいう。また、「黄系色」とは、同ｘｙ色度図におけるｘ座標が０．３〜０．５（好ましくは０．３５〜０．４５）で、かつｙ座標が０．４以上（好ましくは０．５以上）の範囲に属する色のことをいう。さらに、「赤系色」とは、同ｘｙ色度図におけるｘ座標が０．４以上（好ましくは０．５以上、より好ましくは０．６以上）で、かつｙ座標が０．３５以下（好ましくは０．３以下）の範囲に属する色のことをいう。さらにまた、「白系色」とは、同ｘｙ色度図におけるｘ座標が０．３〜０．３５で、かつ座標が０．３〜０．３５の範囲に属する色のことをいう。
【０００８】
本考案の量水標において、それぞれの目盛板における前記側縁部に対する前記傾斜壁部の角度θ（図６を参照）は、９０°よりも大きく、１８０°よりも小さければ特に限定されない。しかし、角度θが小さすぎると、前記傾斜壁部に流木などが引っ掛かりやすくなるおそれがある。このため、角度θは、１２０°以上とすると好ましい。角度θは、１２５°以上であるとより好ましく、１３０°以上であるとより好ましい。一方、角度θが大きすぎると、前記傾斜壁部を設ける意義が低下する。このため、角度θは、１５０°以下とすると好ましい。角度θは、１４５°以下であるとより好ましく、１４０°以下であるとさらに好ましい。
【０００９】
また、本考案の量水標において、それぞれの目盛板をどのような素材で形成するかも特に限定されない。しかし、それぞれの目盛板を、前記目盛がオモテ面に記された目盛表示シートと、目盛表示シートのオモテ面を覆って目盛表示シートを保護する保護フィルムと、そのオモテ面に目盛表示シートのウラ面が貼り付けられた基板と、基板のウラ面に貼り付けられたゴム材とで構成すると好ましい。これにより、量水標を、視認性や施工性や耐久性などをより兼ね備えたものとすることが可能になる。
【００１０】
さらに、本考案の量水標は、目盛板のみで構成してもよいが、前記固定面における目盛板の側方に固定するためのものであって目盛板と同一の層構成を有するメッセージ板を備え、メッセージ板のオモテ面に記されたメッセージを読み取ることでメッセージ板が固定された高さの危険レベルを認識できるようにすることも好ましい。これにより、現在の水位の危険レベルがどの程度であるのかを、感覚的に把握するだけでなく、具体的なメッセージによって客観的に把握することが可能になる。
【考案の効果】
【００１１】
以上のように、本考案によって、目盛を読み取りやすいだけでなく、現在の水位がどの警戒レベルにあるのかを視覚により直感的に認識することのできる量水標を提供することが可能になる。また、平坦面だけでなく曲面に対しても取り付けることができるなど、様々な形態の対象に容易に固定することのできる施工性に優れた量水標を提供することも可能になる。さらに、目盛などの色落ちがしにくいだけでなく、流木などが衝突しにくく破損しにくいなど、耐久性に優れた量水標を提供することも可能になる。
【図面の簡単な説明】
【００１２】
【図１】本考案の量水標を橋脚の鉛直な固定面に固定した状態を示した図である。
【図２】図１の量水標における下側目盛板をオモテ側から見た状態を示した図である。
【図３】図１の量水標における中間目盛板をオモテ側から見た状態を示した図である。
【図４】図１の量水標における上側目盛板をオモテ側から見た状態を示した図である。
【図５】図１の量水標における目盛板をウラ側から見た状態を示した図である。
【図６】図１の量水標における目盛板を水平面で切断した状態を示した断面図である。
【図７】図１の量水標における下側のメッセージ板をウラ側から見た状態を示した図である。
【図８】図１の量水標における上側のメッセージ板をウラ側から見た状態を示した図である。
【図９】図１の量水標におけるメッセージ板を図７，８におけるＸ１−Ｘ１面で切断した状態を示した断面図である。
【考案を実施するための形態】
【００１３】
本考案の量水標の好適な実施態様について、図面を用いてより具体的に説明する。以下においては、河川に架けられた橋の橋脚に量水標を取り付けた場合を例に挙げて説明するが、本考案の量水標の技術的範囲は橋脚用のものに限定されない。本考案の量水標は、河川以外にも、水位を読み取る需要のある溜池やダムなどの様々な場所で使用することができる。
【００１４】
図１は、本考案の量水標を橋脚５０の鉛直な固定面５１に固定した状態を示した図である。本実施態様の量水標は、図１に示すように、鉛直な固定面５１に対して上下方向に並べた状態で固定される複数枚の目盛板１０と、固定面５１における目盛板１０の側方に固定されるメッセージ板２０とを備えたものとなっている。すなわち、目盛板１０のオモテ面に記された目盛を読み取ることで、河川の増水時の水位を読み取ることができるとともに、メッセージ板２０のオモテ面に記されたメッセージを読み取ることで現在の水位の危険レベルがどの程度であるのかを客観的に把握することができるようになっている。
【００１５】
本考案の量水標において、目盛板１０の枚数は、特に限定されず、３枚以上としてもよい。目盛板１０の枚数は、量水標の設置個所や、それぞれの目盛板１０の高さなどを考慮して適宜決定される。本実施態様の量水標においては、図１に示すように、目盛板１０を、３枚の目盛板１１，１２，１３、すなわち、下側に配される下側目盛板１１と、上側に配される上側目盛板１２と、下側目盛板１１と上側目盛板１２との間に配される中間目盛板１３とで構成している。目盛板１１，１２，１３のそれぞれの垂直高は、１ｍとなっており、量水標は、０〜３ｍの範囲で水位を測定できるものとなっている。
【００１６】
図２は、図１の量水標における下側目盛板１１をオモテ側から見た状態を示した図である。図３は、図１の量水標における中間目盛板１２をオモテ側から見た状態を示した図である。図４は、図１の量水標における上側目盛板１３をオモテ側から見た状態を示した図である。本実施態様の量水標において、目盛板１１，１２，１３は、図２，３，４に示すように、その幅方向両端部に目盛が青系色で記され、その幅方向中央部に数字が記されたものとなっている。
【００１７】
目盛板１１，１２，１３には、図２，３，４に示すように、１０個の数字が記載されており、一番下側の数字の向かって右側には「Ｍ」の文字が記されている。この「Ｍ」は、「メートル」の意であり、それぞれの目盛板１１，１２，１３における一番下側の数字は、それぞれの目盛板１１，１２，１３が何メートル台を測定するのかを示している。また、それぞれの目盛板１１，１２，１３における一番下側以外の数字は、その場所が何十ｃｍ台なのかを示している。目盛は、それぞれの目盛板１１，１２，１３の両端部に、１ｃｍ幅の線を１ｃｍ間隔で、あるいは２ｃｍ幅の線を２ｃｍ間隔で記すことにより設けている。１ｃｍ幅の部分と２ｃｍ幅の部分は、１０ｃｍおきに切り替えており、目盛を読み取りやすくしている。
【００１８】
また、目盛板１１，１２，１３には、図２，３，４に示すように、向かって右下に「直」という文字が記されている。この「直」という文字は、目盛板１１，１２，１３が鉛直な固定面５１に対して固定するものであることを意味している。目盛板１１，１２，１３が鉛直でない勾配を有する固定面５１に固定するものである場合には、この「直」という文字の代わりに、その勾配を表わす文字が記される。例えば、目盛板１１，１２，１３が３分勾配の固定面５１に固定される場合には「３分」と表記し、４分勾配の固定面５１に固定される場合には「４分」と表記し、５分勾配の固定面５１に固定される場合には「５分」と表記する。目盛板１１，１２，１３が勾配を有する固定面５１に固定されるものである場合には、目盛板１１，１２，１３における目盛の間隔は広くなる。
【００１９】
目盛板１１，１２，１３のうち、最も下側に配される下側目盛板１１は、図２に示すように、そのオモテ面の背景色が白系色とされている。また、下側目盛板１１のすぐ上側に配される中間目盛板１２は、図３に示すように、そのオモテ面の背景色が黄系色とされている。さらに、最も上側に配される上側目盛板１３は、図４に示すように、そのオモテ面の背景色が赤系色とされている。このように、下側目盛板１１の背景色を警戒度の低い白系色とし、中間目盛板１２の背景色をやや警戒度の高い黄系色とし、上側目盛板１３の背景色を警戒度の高い赤系色とすることで、現在の水位がどの程度の警戒レベルにあるのかを容易かつ直感的に判断することができるようになっている。
【００２０】
図５は、図１の量水標における目盛板１０（下側目盛板１１、中間目盛板１２又は上側目盛板１３）をウラ側から見た状態を示した図である。図６は、図１の量水標における目盛板１０（下側目盛板１１、中間目盛板１２又は上側目盛板１３）を水平面で切断した状態を示した断面図である。目盛板１１，１２，１３の断面形状は、特に限定されないが、本実施態様の量水標においては、図６に示すように、固定面５１（図１を参照）に対して固定される左右一対の側縁部Ｓ２と、固定面５１から手前側に離れた位置で固定面５１に対して平行に支持される中央部Ｓ１と、中央部Ｓ１と左右一対の側縁部Ｓ２のそれぞれとを接続する左右一対の傾斜壁部Ｓ３とで構成された断面ハット状のものとなっている。このため、目盛板１１，１２，１３のオモテ側のあらゆる方向から目盛を読み取りやすくしながらも、段差部分（傾斜壁部Ｓ３）に流木などが引っ掛かりにくくすることが可能となっている。本実施態様の量水標において、目盛板１１，１２，１３における側縁部Ｓ２に対する傾斜壁部Ｓ３の角度θ（図６を参照）は、１３５°としている。
【００２１】
それぞれの目盛板１１，１２，１３の層構成は、特に限定されない。本実施態様の量水標においては、図６に示すように、目盛がオモテ面に記された目盛表示シート１０ａと、目盛表示シート１０ａのオモテ面を覆って目盛表示シート１０ａを保護する保護フィルム１０ｂと、そのオモテ面に目盛表示シート１０ａのウラ面が貼り付けられた基板１０ｃと、基板１０ｃのウラ面に貼り付けられたゴム材１０ｄとで構成されている。
【００２２】
目盛表示シート１０ａに目盛を表記する方法は、特に限定されない。手間や生産性を考慮すると印刷で目盛を表記すると好ましい。印刷を採用すると、目盛板１１，１２，１３に記す目盛の間隔を容易に変更することができるため、目盛板１１，１２，１３を固定する固定面５１が勾配を有する場合であっても容易に対応することができる。すなわち、従来の量水標では、固定面５１が勾配を有する場合、目盛板１１，１２，１３は垂直高１ｍに応じた長さのものを提供していたため、様々な長さの種類を用意しておく必要があったのに対し、本実施態様の量水標では、目盛板１１，１２，１３の長さを１種類（例えば１ｍ）で統一しても、勾配対応印刷技術により、容易に対応することができる。したがって、設計、積算、維持管理面での利便性を向上することも可能になる。本実施態様の量水標において、目盛表示シート１０ａは、スコッチプリント（登録商標）により目盛を印刷したプラスチックフィルムを使用しており、柔軟性、反射性、耐候性に優れたものとなっている。
【００２３】
また、保護フィルム１０ｂの素材は、透明なものであれば特に限定されない。本実施態様の量水標において、保護フィルム１０ｂは、フッ素系のプラスチックフィルムを使用しており、目盛表示シート１０ａのオモテ面に感圧着している。これにより、目盛表示シート１０ａの強度を高め、その耐用年数を１０年以上（従来の量水標の３倍程度）とすることも可能となっている。また、目盛板１１，１２，１３のオモテ面に汚れが付着しにくくすることが可能となっており、付着した汚れなどで目盛が読み取りにくくなるのを防ぐこともできるようになっている。
【００２４】
さらに、基板１０ｃの素材は、必要とされる強度を有するものであれば特に限定されない。基板１０ｃの素材は、基板１０ｃの厚みなどに応じて適宜決定される。基板１０ｃの素材は、金属や硬質樹脂（例えばＡＢＳ樹脂）などが例示されるが、なかでも、ステンレス鋼などの錆びにくいものであると好ましい。本実施態様の量水標においても、基板１０ｃはステンレス鋼（ＳＵＳ−３０４）により形成している。
【００２５】
基板１０ｃの厚さは、基板１０ｃの素材などによって異なるが、薄くしすぎると、目盛板１１，１２，１３の強度を保てなくなるし、逆に厚くしすぎると、目盛板１１，１２，１３の弾性が低下して（剛性が高くなりすぎて）、目盛板１１，１２，１３を固定面５１に固定することが困難になる。というのも、固定面５１は、単純な直平面である場合だけでなく、粗面の場合や橋梁の円柱橋脚などの曲面もあるからである。このため、基板１０ｃをステンレス鋼などの金属とする場合には、基板１０ｃの厚さは、通常、０．１〜３ｍｍとされる。基板１０ｃの厚さは、０．３〜２ｍｍであるとより好ましく、０．５〜１．５であるとより好ましい。本実施態様の量水標において、基板１０ｃの厚さは、０．８ｍｍとなっている。
【００２６】
ゴム材１０ｄは、固定面５１（図１を参照）に対する目盛板１１，１２，１３の密着性を増大させるためのものとなっている。また、従来の量水標は、固定面５１に直接取り付けられたり、木材を介して固定面５１に取り付けられていた。後者の場合には、該木材に防腐処理を施したといっても、その耐久性に難があったが、本実施態様の量水標のように、固定面５１と接触する部分をゴム材１０ｄとすることにより、その耐久性を飛躍的に向上することができる。ゴム材１０ｄに使用するゴムには、合成ゴムや天然ゴムの範疇に属する各種ゴムを採用することができるが、本実施態様の量水標において、ゴム材１０ｄは、耐候性や加工性に優れたクロロプレンゴムを使用している。ゴム材１０ｄの配置も特に限定されないが、本実施態様の量水標においては、図５に示すように、目盛板１０のウラ面における上縁に沿った箇所と、両方の側縁に沿った箇所と、中央線に沿った箇所に、帯状のゴム材１０ｄを設けている。上縁のゴム材１０ｄは、最上部に配される目盛板１３だけに設ければよく、設置後の目盛板１３と固定面５１との隙間に、虫や異物が侵入するのを防ぐ役割をも有している。
【００２７】
続いて、メッセージ板２０について説明する。本実施態様の量水標は、図１に示すように、メッセージ板２０が固定面５１における目盛板１０の側方に固定され、そのオモテ面に記されたメッセージを読み取ることで、メッセージ板２０が固定された高さの危険レベルを客観的に把握することができるようになっている。本実施態様の量水標においては、水位１ｍのところに、「はん濫注意」というメッセージが記されたメッセージ板２１が固定され、水位２ｍのところに、「避難判断」というメッセージが記されたメッセージ板２２が固定されている。メッセージは、この２種類に限定されず、各種の内容を表記することができる。メッセージ板２０におけるメッセージの色や背景色は、特に限定されないが、本実施態様の量水標においては、メッセージを黒系色としており、背景色を黄系色としている。このような配色とすることで、メッセージを見やすく、かつ注意を喚起しやすいものとすることができる。
【００２８】
図７は、図１の量水標における下側のメッセージ板２１をウラ側から見た状態を示した図である。図８は、図１の量水標における上側のメッセージ板２２をウラ側から見た状態を示した図である。図９は、図１の量水標におけるメッセージ板２０（メッセージ板２１，２２）を図７，８におけるＸ１−Ｘ１面で切断した状態を示した断面図である。本実施態様の量水標において、メッセージ板２０は、目盛板１０と同様の層構成を為している。すなわち、メッセージ板２０は、図９に示すように、メッセージがオモテ面に記されたメッセージ表示シート２０ａと、メッセージ表示シート２０ａのオモテ面を覆って保護する保護フィルム２０ｂと、そのオモテ面にメッセージ表示シート２０ａのウラ面が貼り付けられた基板２０ｃと、基板２０ｃのウラ面に貼り付けられたゴム材２０ｄとで構成されている。メッセージ板２０におけるメッセージの表記方法は、目盛板１０における目盛と同様の表記方法（印刷）を採用することができるため、説明を割愛する。また、各層の素材なども、目盛板１０と同様であるため、説明を割愛する。
【００２９】
ゴム材２０ｄの配置は、特に限定されない。本実施態様の量水標においては、図７，８に示すように、メッセージ板２０のウラ面における各辺に沿った箇所などに帯状のゴム材２０ｄを設けている。図７，８における向かって右側の四角形状の部分（帯状のゴム材２０ｄが三角枠状に配された部分）と、向かって左側の三角形状の部分（帯状のゴム材２０ｄが四角枠状に配された部分）とは、分離可能となっている。このため、目盛板１０の向かって右側にメッセージ板２０を配する場合でも、目盛板１０の向かって左側にメッセージ板２０を配する場合でも、三角枠状の部分と四角枠状の部分との配置を逆にすることにより、容易に対応することができるようになっている。
【符号の説明】
【００３０】
１０    目盛板
１０ａ  目盛表示シート
１０ｂ  保護フィルム
１０ｃ  基板
１０ｄ  ゴム材
１０ｅ  長穴
１０ｆ  連結材
１１    下側目盛板
１２    中間目盛板
１３    上側目盛板
２０    メッセージ板
２０ａ  メッセージ表示シート
２０ｂ  保護フィルム
２０ｃ  基板
２０ｄ  ゴム材
２１    メッセージ板
２２    メッセージ板
５０    橋脚
５１    固定面
【図１】
0003165949.tif 000003
【図２】
0003165949.tif 000004
【図３】
0003165949.tif 000005
【図４】
0003165949.tif 000006
【図５】
0003165949.tif 000007
【図６】
0003165949.tif 000008
【図７】
0003165949.tif 000009
【図８】
0003165949.tif 000010
【図９】
0003165949.tif 000011